(57)【要約】      （修正有）【課題】スマートホン等の端末を用いて、家庭内での種々のホームデバイスを制御コードによって簡単に遠隔操作でき、且つ予め定められたロジックにしたがって家庭内の種々の情報を端末や管理センターおよび近隣等に送信・通報することができるようにする。【解決手段】家庭０００２内に設置された双方向リモコン０００１と、家庭の住人が所有するスマートホン０００３等の端末と、これら端末との間で双方向リモコン０００１がインターネット経由で種々の情報を双方向でやり取りするためのサーバ０００５とを備えたホームデバイスシステムであって、家庭内の双方向リモコン０００１が所定の処理を実行するため、ロジックコントロール部を有する。【選択図】図１
2016032146.tif 000002
【特許請求の範囲】
【請求項１】
家庭内に設置された一または複数の双方向リモコンと、家庭の住人や家族等が所有するスマートホンや管理者のパーソナルコンピュータ等の端末と、これら端末との間で前記双方向リモコンがインターネット経由で種々の情報を双方向でやり取りするためのサーバとを備えたホームデバイスシステムであって、前記双方向リモコンは少なくとも、家庭内にある人感センサ等のセンサ類やホームデバイスを予め定められた制御コードによって制御するための制御コード記憶部と制御コードに基づく赤外線を発する赤外線発光部と予め定められたロジックに基づいて制御を行うためのロジックコントロール部と前記センサ類等からの入力を行うための接点入力端子部を有する、ホームデバイスシステム。
【請求項２】
双方向リモコンが、家庭内を撮影するカメラ部とカメラ部で撮影した画像を送信するための画像配信部を更に有する、請求項１記載のホームデバイスシステム。
【請求項３】
双方向リモコンが、家庭に隣接して設けられた非常回転灯や警備サイレン等の警備機器を作動させるための接点出力端子部を更に有する、請求項１または請求項２記載のホームデバイスシステム。
【請求項４】
請求項１〜請求項３のうちのいずれか一項記載のホームデバイスシステムに使用される双方向リモコンであって、種々の演算処理を行うＣＰＵと、通信プロトコルＴＣＰ／ＩＰによる通信部と、種々の情報を記憶するＲＯＭ／ＲＡＭ等の情報記憶部を備えた、ホームデバイスシステム用双方向リモコン。
【請求項５】
ロジックコントロール部が、端末から当該双方向リモコンが留守番モード信号を受信した場合にスイッチＯＮとなって稼働する一方、家族等が帰宅してスマートホンや玄関ドアから当該双方向リモコンが帰宅時開錠信号を受信した場合にスイッチＯＦＦとなって稼働しないロジックとなされていることを特徴とする、請求項４記載のホームデバイスシステム用双方向リモコン。
【請求項６】
請求項１記載のホームデバイスシステムに使用するサーバであって、少なくとも、ホームデバイスシステムにおける種々の制御アプリケーションを端末がダウンロードするためのダウンロード機能部と、双方向リモコンのＩＰアドレスの割り振り設定を行うＤＮＳサーバ機能部と、制御側である端末と被制御側である双方向リモコンとのリンク設定用のデータベースと、前記端末と前記双方向リモコン間の制御情報の交信を行う送受信部と、前記双方向リモコンの本体に内蔵または外部に設けられたカメラ部による撮影画像の配信中継を行う中継部と、新たなホームデバイスの制御コードのアップデート配信を行う制御コード配信部を有する、ホームデバイスシステム用サーバ。
【発明の詳細な説明】
【技術分野】
【０００１】
本発明は、家庭内のホームデバイスの遠隔制御と家庭内からの状況情報の取得を双方向で行うリモコンおよびこれを用いてインターネット経由でスマートホン等の情報端末との間で種々の制御情報や前記状況情報の送受信を行うホームデバイスシステムに関する。
【背景技術】
【０００２】
近年、スマートホン等の携帯端末を用いて、家庭内のエアコンや照明、或いはお風呂等のホームデバイスを遠隔操作で稼働または停止させるようにすることが行われている。
【０００３】
また、リモコンで複数のホームデバイスを制御するための方法として、 リモコンで制御するデバイスをリクエストするリクエスト段階と、 リクエストを許諾したデバイスが応答する応答段階と、 前記リモコンが前記リクエストを許諾したデバイスを制御する制御段階とを含むリモコンのデバイス制御方法であって、 前記応答段階が、 前記リクエスト段階のリクエスト信号を受信する受信段階と、 前記リクエスト信号を受信したか否かを表示する段階と、 前記リクエストを許諾したデバイスが前記リモコンで応答する段階とを含むもの、或は更に、 前記制御段階において、 前記リクエストを許諾したデバイスから応答信号を受信する段階と、 前記応答信号を受信したか否かを表示する表示する段階と、前記リクエストを許諾したデバイスを制御する段階とを含むようにした制御方法も知られている。
【０００４】
また、ホームネットワーク上のホームデバイスを管理するホームサーバが、ホームデバイスを検知するステップと、 前記ホームサーバには前記ホームデバイスに関するサービス提供者から前記ホームデバイスの制御に使用される制御パルスコードが伝送されるステップと、 前記ホームサーバが前記制御パルスコードから前記ホームデバイスの制御に必要なキーマッピングテーブルを生成するステップと、 前記ホームサーバがホームネットワーク上のホームデバイスを制御する１つのコントローラに前記キーマッピングテーブルを伝送するステップとを含むホームデバイス制御方法も知られている。
【先行技術文献】
【特許文献】
【０００５】
【特許文献１】特開２００６−２３６３４７
【特許文献２】特開２００６−２３８４４８
【発明の概要】
【発明が解決しようとする課題】
【０００６】
前記先行技術に係るホームデバイスの制御方法は、基本的には、ホームネットワークシステム上で一つのリモコンやコントローラによって、前記ホームネットワークシステム上の複数のデバイスを制御するようにしたものであり、このような制御を行うことで、各ホームデバイスごとにコントローラ等を用意する必要がなくなり、また各コントローラ等の使用方法を使用者が習得する手間が省略されるというものである。
【０００７】
しかしながら、前述した制御方法は、家庭内のテレビやレコーダといったホームデバイスの操作を容易にするものであって、ホームデバイスの現在の状態（ステイタス）を確認したり、センサ等を介したホームデバイスからの発信信号を受信することによる見守りや空き巣対策等への応用を目的としたものではなかった。また、前記家庭内のホームデバイスと携帯端末等との通信もコントローラ等からの制御信号と、これに対するホームデバイスの状態情報との送受信という限定的な双方向性のものであり、前記家庭内の見守りや空き巣対策を実行制御するような広範囲で多様な双方向性を有するものではなかった。
【０００８】
本発明の目的は、スマートホン等の端末を用いて、家庭内での種々のホームデバイスを簡単に遠隔操作でき、且つ予め定められたロジックにしたがって家庭内の種々の情報を端末や管理センターおよび近隣等に送信・通報することができる、双方向リモコンおよびこれを用いたホームデバイスシステムに提供することにある。
【課題を解決するための手段】
【０００９】
請求項１記載の本発明は、家庭内に設置された一または複数の双方向リモコンと、家庭の住人や家族等が所有するスマートホンや、住人、家族および管理者等が屋内外で操作するパーソナルコンピュータ等の端末と、これら端末との間で前記双方向リモコンがインターネット経由で種々の情報を双方向でやり取りするためのサーバとを備えたホームデバイスシステムであって、前記双方向リモコンは少なくとも、家庭内にある人感センサ等のセンサ類やエアコン、照明、コンセントといったホームデバイスを予め定められた制御コードによって制御するための制御コード記憶部と制御コードに基づく赤外線を発する赤外線発光部と予め定められたロジックに基づいて制御を行うためのロジックコントロール部と前記センサ類等からの入力を行うための接点入力端子部を有するホームデバイスシステムである。
【００１０】
請求項２記載の本発明は、前記請求項１記載のホームデバイスシステムについて、双方向リモコンが、家庭内を撮影するカメラ部とカメラ部で撮影した画像を送信するための画像配信部を更に有することを特徴とするものである。
【００１１】
請求項３記載の本発明は、前記請求項１または請求項２記載のホームデバイスシステムについて、双方向リモコンが、家庭に隣接して設けられた非常回転灯や警報機の警備機器を作動させるための接点出力端子部を更に有するものである。
【００１２】
請求項４記載の本発明は、前記請求項１または請求項２記載のホームデバイスシステムに使用される双方向リモコンであって、種々の演算処理を行うCPUと、通信プロトコルTCP/IPによる通信部と、種々の情報を記憶するROM/RAM等の情報記憶部を備えたものである。
【００１３】
請求項５記載の本発明は、前記請求項４記載のホームデバイスシステム用双方向リモコンについて、ロジックコントロール部が、端末から当該双方向リモコンが留守番モード信号を受信した場合にスイッチONとなって稼働する一方、家族等が帰宅してスマートホンや玄関ドアから当該双方向リモコンが帰宅時開錠信号を受信した場合にスイッチOFFとなって稼働しないロジックとなされていることを特徴とするものである。
【００１４】
請求項６記載の本発明は、請求項２記載のホームデバイスシステムに使用するサーバであって、少なくとも、ホームデバイスシステムにおける種々の制御アプリケーションを端末がダウンロードするためのダウンロード機能部と、双方向リモコンのＩＰアドレスの割り振り設定を行うＤＮＳサーバ機能部と、制御側である端末と被制御側である双方向リモコンとのリンク設定用のデータベースと、前記端末と前記双方向リモコン間の制御情報の交信を行う送受信部と、前記双方向リモコンの本体に内蔵または外部に設けられたカメラ部による撮影画像の配信中継を行う中継部と、新たなホームデバイスの制御コードのアップデート配信を行う制御コード配信部を有することを特徴とするものである。
【発明の効果】
【００１５】
請求項１および請求項２記載の本発明によれば、スマートホン等の端末を用いて遠隔操作で家庭内のエアコンや照明、コンセント等のホームデバイスを制御できることは勿論、その制御が特定の制御コードに基づく赤外線発光部からの汎用的な赤外線によって行われるため、新たに追加されたホームデバイスを制御する場合でも、有線無線による通信設定は全く不要であり、また双方向リモコン自身のＩＰアドレスもインターネットで接続されたＤＮＳサーバにより割り振られるため、利用者がその設定や固定ＩＰアドレスの取得を行う必要が全くないという格別の利点を有する。
【００１６】
また、本発明においては、双方向リモコンのロジックコントロール部における予め定められたロジックにしたがって留守時におけるセンサ類の検知によって、空き巣等の侵入者や、見守り対象である高齢者や幼児、ペット等の異常を前記スマートホン等に通報させたり、そうした緊急発報があった際に、同時に、双方向リモコン本体に内蔵または外部に設けられたカメラ部による、対象となる被写体の画像をスマートホン等に配信するという双方向性を持った通信が行えるという格別の効果を有する。
【００１７】
請求項３記載の本発明では、双方向リモコンが、家庭に隣接して設けられた非常回転灯や警備サイレン等の警備機器を作動させるための接点出力端子部を更に有するため、前述した空き巣の進入等の際に前記非常回転灯等が作動して近隣に発報することもできるため、防犯効果が更に向上する。
【００１８】
この他、請求項５記載の本発明では、ロジックコントロール部の動作によって、例えば留守番モードになっている場合だけ前記警報の出力端子部への信号出力が受け付けられないといった動作が可能となる。
【図面の簡単な説明】
【００１９】
【図１】本発明のホームデバイスシステムの概要を示す図である。
【図２】本発明のホームデバイスシステムにおける双方向リモコンの機能ブロック図である。
【図３】図２の双方向リモコンのロジックコントロール部におけるロジックの一例を示す図である。
【図４】本発明のホームデバイスシステムにおけるサーバの機能ブロック図である。
【図５】本発明の双方向リモコンにおける処理の一例を示すフローチャートである。
【図６】本発明のホームデバイスシステムにおけるサーバの処理の一例を示すフローチャートである。
【発明を実施するための形態】
【００２０】
次に、本発明の実施形態を図面にしたがって説明するが、本発明はかかる実施形態に限定されるものではない。
【００２１】
図１に示すように、本発明に係るホームデバイスシステムの概要を説明すると、ある家庭（０００２）内に設置された本発明の双方向リモコン（０００１）と、家庭（０００２）の住人や家族等が所有するスマートホン（０００３）や管理者、住人、家族等が操作するパーソナルコンピュータ（０００４）等の端末と、これら端末との間で双方向リモコン（０００１）がインターネット経由で種々の情報を双方向で送受信するためのサーバ（０００５）を備えている。
【００２２】
また家庭（０００２）には、前記双方向リモコン（０００１）の他、これによって制御される人感センサ等のセンサ（０００６）、照明（０００７）、エアコン（０００８）およびコンセント（０００９）等のホームデバイスがある。そして、本実施形態では、これら双方向リモコン（０００１）と前記ホームデバイスは、家庭（０００２）において、部屋ごとにそれぞれ置かれている。
【００２３】
図２に示すように、双方向リモコン（０００１）は、例えば、種々の演算処理を行うＣＰＵ（２００１）と、通信プロトコルＴＣＰ／ＩＰによる通信部（２００２）と、種々の情報を記憶するＲＯＭ／ＲＡＭ等の情報記憶部（２００３）と、前記ホームデバイスの制御を行う複数の赤外線発光部（２００４）（２００５）と、これら赤外線発光部（２００４）（２００５）における制御コードが記憶されたＲＯＭ等の制御コード記憶部（２００６）と、撮影を行うカメラ部（２００７）と、カメラ部（２００７）で撮影した画像を配信する画像配信部（２００８）と、前記センサ（０００６）やナースコール等からの入力を行うための接点入力端子部（２００９）と、家庭（０００２）の外壁等に取り付けられている非常回転灯（００１０）の点灯や警報機等の出力を行うための接点出力端子部（２０１０）と、接点入力端子部（２００９）からの入力並びに接点出力端子部（２０１０）への出力を行い、また後述する所定の制御を実行するロジックコントロール部（２０１１）を有する。なお、前記カメラ部（２００７）および画像配信部（２００８）は、当該双方向リモコン（０００１）の外部に別途設けられる場合もある。
【００２４】
なお、前記画像配信部（２００８）は、通常、ＭＰＵおよびメモリや、簡易ＷＥＢサーバ、簡易ストリーミングシステム等から実現され得る。
【００２５】
図３に示すように、ロジックコントロール部（２０１１）は、例えばスマートホン（０００３）やパーソナルコンピュータ（０００４）といった端末や、或は屋内の玄関や台所に取り付けられたスイッチ等から当該双方向リモコン（０００１）が留守番モード信号（ＳＧ１）を受信した場合に、スイッチ（ＳＷ）がＯＮとなって、前述した赤外線発光部（２００４）（２００５）によるホームデバイス（０００６）〜（０００９）の制御やカメラ部（２００７）による撮影、並びに接点入力端子部（２００９）における入力および接点出力端子部（２０１０）における出力を実行する一方、家族等が帰宅してスマートホン（０００３）や玄関ドア（図示せず）から当該双方向リモコン（０００１）に帰宅時開錠信号（ＳＧ２）を受信した場合には、スイッチ（ＳＷ）がＦＦとなって、前記ホームデバイス（０００６）〜（０００９）の制御やカメラ部（２００７）による撮影、並びに接点入力端子部（２００９）における入力および接点出力端子部（２０１０）における出力を停止するロジックとし、また前記留守番モード信号（ＳＧ１）を受信した状態において、家庭（０００２）内のセンサ（０００６）が人の進入を検知した時には見守りセンサ信号（ＳＧ３）が家族等所有のスマートホン（０００３）や管理者のパーソナルコンピュータ（０００４）に送信され、その後、これらスマートホン（０００３）やパーソナルコンピュータ（０００４）から当該双方向リモコン（０００１）に緊急発報指示信号（ＳＧ４）が受信された時には当該双方向リモコン（０００１）から最終的に緊急発報信号（ＳＧ５）を警備会社等の所定の警備機関に発信するロジックとなされている。
【００２６】
また前述したロジックコントロール部（２０１１）におけるロジックは、具体的には、基本パターンをＬＳＩ等に組み込んでおいても良いし、あるいはプログラマブル・ロジック・コントローラ（ＰＬＣ）のように、多数のトランジスタ・マトリックス（アレイ）を用いて、その結線情報等をフラッシュメモリ等に書き込むことでプログラマブルに実行できるようにしておいても良い。
【００２７】
図４に示すように、前述した双方向リモコン（０００１）とスマートホン（０００３）やパーソナルコンピュータ（０００４）等の端末による遠隔処理操作をインターネット上で実現するサーバ（０００５）は、少なくとも前述した種々の制御アプリケーションを前記端末がダウンロードするためのダウンロード機能部（４００１）と、前記各双方向リモコンのＩＰアドレスの割り振り設定を行うＤＮＳサーバ機能部（４００２）と、制御側の前記端末と被制御側の双方向リモコン（０００１）とのリンク設定用のデータベース（４００３）と、前記端末と被制御側の双方向リモコン間の制御情報の交信を行う送受信部（４００４）と、前記双方向リモコンのカメラ部（２００７）による撮影画像の配信中継を必要に応じて行う中継部（４００５）と、新たなホームデバイスの制御コードのアップデート配信を行う制御コード配信部（４００６）を有する。
【００２８】
本発明のホームデバイスシステムにおいては、前記双方向リモコン（０００１）にセンサ（０００６）、照明（０００７）、エアコン（０００８）およびコンセント（０００９）等のホームデバイスの制御コードが記憶され、前記赤外線発光部（２００４）（２００５）から赤外線によって、ホームデバイスが制御される構成となされている。そして、各双方向リモコン（０００１）には、予めＩＰアドレスがそれぞれ設定されており、該双方向リモコン（０００１）を介して対応するホームデバイスがそれぞれ制御される構成となされているため、ホームデバイスについて新たな制御コードをその都度、設定する必要がない。
【００２９】
次に、図５に示すように、双方向リモコン（０００１）における処理の一例を説明すると、先ずロジックコントロール部（２０１１）における留守番モード信号（ＳＧ１）の受信を検知し（Ｓ５００１）、受信した場合には、カメラ部（２００７）による家庭（０００２）内の撮影を行う（Ｓ５００２）。その後、センサ（０００６）からの見守りセンサ信号（ＳＧ３）の受信を検知し（Ｓ５００３）、見守りセンサ信号（ＳＧ３）を受信した場合には、その旨をスマートホン（０００３）へ送信する（Ｓ５００４）。次にスマートホン（０００３）からの緊急発報指示信号の受信を検知し（Ｓ５００５）、緊急発報指示信号を受信した際には管理者等のパーソナルコンピュータ（０００４）や警察等に緊急発報信号（ＳＧ４）を送信する（Ｓ５００６）。また、前記留守番モード信号（ＳＧ１）の受信後においては、前述した処理と並行して帰宅時開錠信号（ＳＧ２）の受信を検知し（Ｓ５００６）、受信した際には当該遠隔操作や見守り防犯を終了する。また、このような処理において前記撮影画像の配信は、緊急発報指示信号の検知時に自動的に配信準備がなされるようにするものである。
【００３０】
図６に示すように、サーバ（０００５）における処理の一例を説明すると、端末であるスマートホン（０００３）等からのホームデバイスの制御情報の有無を検知し（Ｓ６００１）、該制御情報を受信した場合には双方向リモコン（０００１）に対して前記制御情報を送信する（Ｓ６００２）、その際、制御情報にはＩＰアドレスが含まれ、これに基づいて家庭（０００２）内にある特定の双方向リモコン（０００１）から所定の制御コードが発せられ、これに応答するホームデバイスが作動することとなる。またスマートホン（０００３）等からのホームデバイスの更なる制御情報の有無を検知し（Ｓ６００３）、停止の制御信号であった場合、対応する双方向リモコン（０００１）を介して対応するホームデバイスが停止されることとなる。
【００３１】
なお、本実施形態における前記ロジックコントロール部（２０１１）は、留守番モードにおけるスイッチＯＮと帰宅時開錠時におけるスイッチＯＦＦの他、留守番モードにおける在宅の高齢者や乳幼児の見守りモードにおいて、室内のエアコンの温度や照明のＯＮ／ＯＦＦ、或は電源コンセントのＯＮ／ＯＦＦ等も管理することで在宅者の安全確保や危険回避の確認等を行うロジックとする場合もある。
【産業上の利用可能性】
【００３２】
本発明によれば、家庭内の各種家電製品等が遠隔操作できることは勿論、留守時における家庭内の侵入者の有無を検知すると共に、撮影をも行うことができるため、スマートハウスの分野において幅広い利用が期待できる。
【符号の説明】
【００３３】
（０００１）  双方向リモコン
（０００２）  家庭
（０００３）  スマートホン
（０００４）  パーソナルコンピュータ
（０００５）  サーバ
（０００６）  センサ
（２００４）（２００５）  赤外線発光部
（２００６）  制御コード記憶部
（２００７）  カメラ部
（２００８）  画像配信部
（２００９）  接点入力端子部
（２０１１）  ロジックコントロール部
【図１】
2016032146.tif 000003
【図２】
2016032146.tif 000004
【図３】
2016032146.tif 000005
【図４】
2016032146.tif 000006
【図５】
2016032146.tif 000007
【図６】
2016032146.tif 000008